(57)【要約】【課題】  伝送特性を劣化させることなく、伝送設備のコストを増加させることなく、放送・通信信号（伝送信号）のチャンネル配列（チャンネル選択）を行うことができるチャンネル周波数間隔設定伝送装置およびチャンネル周波数間隔設定伝送プログラム、並びに、チャンネル設定情報生成方法を提供する。【解決手段】  チャンネル周波数間隔設定伝送装置１は、受信した複数の受信信号を、チャンネルまたは周波数が割り当てられている放送・通信伝送路に、複数の伝送信号として伝送するものであって、チャンネル設定情報蓄積手段３と、受信信号分配手段５と、周波数変換手段７と、伝送信号混合手段９と、を備えた。【選択図】      図１
2006033742.tif 000002
【特許請求の範囲】
【請求項１】
受信した複数の受信信号を、チャンネルまたは周波数が割り当てられている放送・通信伝送路に、複数の伝送信号として伝送するチャンネル周波数間隔設定伝送装置であって、
複数の前記受信信号から抽出する抽出受信信号の受信チャンネルと、前記抽出受信信号の周波数を変換して伝送する伝送信号の伝送チャンネルとに関する情報であり、前記伝送信号中の任意の２信号の前記チャンネルの間隔であるチャンネル間隔または前記周波数の間隔である周波数間隔が全て異なるように、前記伝送信号が設定されているチャンネル設定情報を蓄積しているチャンネル設定情報蓄積手段と、
前記受信信号を予め設定した数に分配する受信信号分配手段と、
この受信信号分配手段で分配された受信信号を、前記チャンネル設定情報に含まれる受信チャンネルに従って抽出し、この抽出した抽出受信信号を、前記チャンネル設定情報に含まれる伝送チャンネルに従って周波数変換して出力する周波数変換手段と、
この周波数変換手段で周波数が変換された伝送信号を混合して出力する伝送信号混合手段と、
を備えることを特徴とするチャンネル周波数間隔設定伝送装置。
【請求項２】
受信した複数の受信信号を、チャンネルまたは周波数が割り当てられている放送・通信伝送路に、複数の伝送信号として伝送する装置を、
前記受信信号を予め設定した数に分配する受信信号分配手段、
この受信信号分配手段で分配された受信信号を、前記複数の前記受信信号から抽出する抽出受信信号の受信チャンネルと前記抽出受信信号の周波数を変換して伝送する伝送信号の伝送チャンネルとに関する情報であり、前記伝送信号中の任意の２信号の前記チャンネルの間隔であるチャンネル間隔または前記周波数の間隔である周波数間隔が全て異なるように前記伝送信号が設定されているチャンネル設定情報に含まれる受信チャンネルに従って抽出し、この抽出した抽出受信信号を、前記チャンネル設定情報に含まれる伝送チャンネルに従って周波数変換して出力する周波数変換手段、
この周波数変換手段で周波数が変換された伝送信号を混合して出力する伝送信号混合手段、
として機能させることを特徴とするチャンネル周波数間隔設定伝送プログラム。
【請求項３】
受信した複数の受信信号を、チャンネルまたは周波数が割り当てられている放送・通信伝送路に、複数の伝送信号として伝送する際に、前記伝送信号のチャンネルまたは周波数を設定するチャンネル設定情報を生成するチャンネル設定情報生成方法であって、
予め設定されているチャンネルまたは周波数の最大値と最小値との両側から、前記伝送信号のチャンネルまたは周波数の候補として、既に設定した任意の２つの伝送信号のチャンネル間隔または周波数間隔と同じ値にならないものの中で最小値を計算するチャンネル周波数計算ステップと、
このチャンネル周波数計算ステップにて計算した最小値に基づいて、前記チャンネルまたは周波数の最小値側、或いは、前記チャンネルまたは周波数の最大値側から、前記チャンネル間隔または前記周波数間隔の値を設定するチャンネル周波数設定ステップと、
を含むことを特徴とするチャンネル設定情報生成方法。
【請求項４】
前記チャンネル周波数設定ステップは、予め設定されているチャンネルまたは周波数の最大値と最小値との両側から、前記伝送信号のチャンネル間隔または周波数間隔の候補として、既に設定した任意の２つの伝送信号のチャンネル間隔または周波数間隔と同じ値にならないものの中で最小値を計算する際に、
前記チャンネルまたは周波数の最小値側のサブチャンネルで設定されているチャンネル間隔または周波数間隔の値と、前記チャンネルまたは周波数の最大値側のサブチャンネルで設定されているチャンネル間隔または周波数間隔の値とを、前記サブチャンネルそれぞれの中で入れ替え可能にして設定することを特徴とする請求項３に記載のチャンネル設定情報生成方法。
【発明の詳細な説明】
【技術分野】
【０００１】
本発明は、放送・通信伝送路に、チャンネルまたは周波数の間隔を設定して、伝送信号を伝送するチャンネル周波数間隔設定伝送装置およびチャンネル周波数間隔設定伝送プログラム、並びに、チャンネルまたは周波数の間隔を設定するチャンネル設定情報を生成するチャンネル設定情報生成方法に関する。
【背景技術】
【０００２】
一般に、放送・通信信号を伝送させる伝送帯域内において、等しい周波数間隔でチャンネルが割り当てられている場合、当該放送・通信信号を伝送する伝送設備（伝送装置）が抱える問題（特性）の一つである非線形性による相互変調歪みによって、伝送帯域内の放送・通信信号に影響（信号品質の劣化）が生じることが知られている（例えば、非特許文献１参照）。
【０００３】
なお、相互変調歪みとは、入力信号が２またはそれ以上の周波数成分を有する場合に、入力信号の整数倍の和または整数倍の差の周波数が出力信号に現れることで生じる非線形歪みである。例えば、目的信号（伝送しようとする放送・通信信号、目的波であり、周波数をｆ１とする）の上側と下側とに等間隔に並んだ２つの伝送信号（ｆ２＝ｆ１＋Δ、ｆ３＝ｆ１−Δ）がある場合、３信号の和と差の周波数としては、−ｆ１＋ｆ２＋ｆ３＝−ｆ１＋（ｆ１＋Δ）＋（ｆ１−Δ）＝ｆ１が生じ、目的信号と同一の周波数となって妨害を受けることになる。
【０００４】
通常、放送・通信信号を伝送する場合、当該放送・通信信号伝送の帯域幅を効率よく使用することや、周波数の変換を容易に行うことができるように、等しい周波数間隔でチャンネルが割り当てられていることが多い。従って、等しい周波数間隔でチャンネルが割り当てられていて、多数のチャンネルの放送・通信信号を同時に伝送すると、伝送設備（伝送装置）を構成するミキサやＲＦ増幅回路等が抱えている非線形特性によって、伝送する目的信号と同じチャンネルに妨害を生じて、放送・通信信号の品質劣化が生じる（例えば、非特許文献１参照）。
【０００５】
従来、この相互変調歪みを軽減するために、放送・通信信号の非線形性を補償する回路を伝送設備に付加することや、非線形性が発生する主因となる、放送・通信信号を増幅する増幅回路を改良して、当該増幅回路の最大出力がより大きなもの（変調する放送・通信信号の種類、伝送設備の要求性能、コストによって異なる）を設置し、十分なバックオフ（伝送設備において、運用時の電力レベルと出力飽和電力レベルの差）を確保して、当該伝送設備を運用し、放送・通信信号を伝送している。
【０００６】
また、放送・通信信号に使用するチャンネルを工夫する、例えば、放送・通信信号では、チャンネルの周波数関係が明確であるので、相互変調歪みの発生を軽減するように、伝送に使用しない空きチャンネルを設けることで、放送・通信信号に落ち込む妨害信号の発生を防止することができ、相互変調歪みによる影響を軽減することができる。
【０００７】
しかし、伝送する放送・通信信号が増加するのに伴って、チャンネルの選択が複雑になることもあり、相互変調歪みの軽減を優先したチャンネル配列（チャンネル選択）は使用されていない。
【０００８】
このチャンネル配列の事例として、例えば、地上波アナログテレビジョン放送のチャンネル配列（チャンネル選択）と、地上波デジタルテレビジョン放送のチャンネル配列と、ＣＡＴＶのチャンネル配列（例えば、特許文献１参照）とが挙げられる。
【０００９】
地上波アナログテレビジョン放送のチャンネル配列（チャンネル選択）においては、隣接するチャンネルによる妨害（以下、隣接チャンネル妨害という）の発生を抑えるため、２チャンネルおきに、当該チャンネルを配列するチャンネル配列（チャンネル選択）が多くの場合で採用されている。
【００１０】
地上波デジタルテレビジョン放送のチャンネル配列（チャンネル選択）においては、地上波アナログテレビジョン放送の放送波との干渉の防止や周波数利用効率を最重要点に考慮したチャンネル配列（チャンネル選択）が採用されている。
【００１１】
ＣＡＴＶのチャンネル配列（チャンネル選択）においては、地上波アナログテレビジョン放送の放送波および地上波デジタルテレビジョン放送の放送波だけではなく、衛星放送や、ローカルエリア内の自主放送等によって、多数の放送・通信信号が限られた伝送帯域の中で伝送されるために、それぞれの放送波の放送・通信信号について、周波数変換を行い、場合によっては変調方式を変更して、伝送帯域内のチャンネル間を詰めたチャンネル配列（チャンネル選択）にして伝送する、いわゆる隣接チャンネル伝送が行われている。
【非特許文献１】川上英一郎  他４名、「ミリ波映像多重伝送システムの開発ＩＩ  ―非線形ひずみに関する実験的考察―」、２００１年  電子情報通信学会総合大会、Ｃ−２−９８
【特許文献１】特開２００２−２０４４３６号公報（段落００５８〜００６３、図４）
【発明の開示】
【発明が解決しようとする課題】
【００１２】
しかしながら、従来のチャンネル配列（チャンネル選択）では、複数の放送・通信信号が伝送設備の増幅回路を通過すると（増幅されると）、伝送設備が抱える問題（特性）の一つである非線形性による相互変調歪みが発生する。特に、背景技術で述べたように、等間隔でチャンネル配列した場合や、隣接チャンネル伝送が行われる場合には、発生する相互変調歪みが重なり合って、伝送する放送・通信信号の帯域内に大きな妨害信号が発生することになり、伝送特性（等価ＣＮ比［キャリアノイズレート］）を劣化させてしまうという問題がある。
【００１３】
また、この相互変調歪みを軽減するために行われている、非線形性を補償する回路を付加することや、増幅回路の最大出力がより大きなものを設置することは、伝送設備のコスト増加につながり、特に放送・通信信号がミリ波のような場合、出力の大きな増幅回路の製作が困難であるので、伝送設備のコストが大幅に増加してしまうという問題がある。
【００１４】
そこで、本発明では、前記した問題を解決し、伝送特性を劣化させることなく、伝送設備のコストを増加させることなく、放送・通信信号（伝送信号）のチャンネル配列（チャンネル選択）を行うことができるチャンネル周波数間隔設定伝送装置およびチャンネル周波数間隔設定伝送プログラム、並びに、チャンネル配列を設定した情報であるチャンネル設定情報を生成するチャンネル設定情報生成方法を提供することを目的とする。
【課題を解決するための手段】
【００１５】
前記課題を解決するため、請求項１記載のチャンネル周波数間隔設定伝送装置は、受信した複数の受信信号を、チャンネルまたは周波数が割り当てられている放送・通信伝送路に、複数の伝送信号として伝送するチャンネル周波数間隔設定伝送装置であって、チャンネル設定情報蓄積手段と、受信信号分配手段と、周波数変換手段と、伝送信号混合手段と、を備える構成とした。
【００１６】
かかる構成によれば、チャンネル周波数間隔設定伝送装置は、チャンネル設定情報蓄積手段において、複数の受信信号から抽出する抽出受信信号の受信チャンネルとこの抽出した抽出受信信号の周波数を変換して伝送する伝送信号の伝送チャンネルとに関する情報であるチャンネル設定情報を蓄積している。このチャンネル設定情報は、伝送信号中の任意の２信号のチャンネルの間隔であるチャンネル間隔または周波数の間隔である周波数間隔が全て異なるように、伝送信号が設定されており、受信信号毎に予め設定されているチャンネル（チャンネル番号）により、抽出するチャンネル（受信チャンネル）を設定すると共に、抽出した抽出受信信号の周波数を変換した伝送信号（放送・通信信号）の伝送チャンネル（伝送チャンネル番号）を設定したものである。例えば、受信信号が地上波デジタル信号である場合、チャンネル設定情報の受信チャンネルに関する情報に従って、地上波デジタル信号のチャンネル番号を抽出する（抜き出す）。そして、この抽出した（抜き出した）地上波デジタル信号の周波数を、チャンネル設定情報の伝送チャンネルに関する情報に従って、変換する。
【００１７】
続いて、このチャンネル周波数間隔設定伝送装置は、受信信号分配手段によって、受信信号を予め設定した数に分配し、周波数変換手段によって、受信信号分配手段で分配された受信信号を、チャンネル設定情報に含まれる受信チャンネルに従って抽出し、この抽出した抽出受信信号を、チャンネル設定情報に含まれる伝送チャンネルに従って周波数変換して出力する。周波数変換手段は、受信信号分配手段で受信信号が分配される数分設けられており、抽出した受信信号を、例えば、周波数変換後の隣接する伝送信号の周波数間隔が全て異なるように周波数変換する。
【００１８】
そして、このチャンネル周波数間隔設定伝送装置は、伝送信号混合手段によって、周波数変換手段で周波数が変換された伝送信号を混合して出力する。この伝送信号混合手段では、当該装置に接続される伝送路に適合するように、伝送信号が混合されて出力される。
【００１９】
請求項２記載のチャンネル周波数間隔設定伝送プログラムは、受信した複数の受信信号を、チャンネルまたは周波数が割り当てられている放送・通信伝送路に、複数の伝送信号として伝送する装置を、受信信号分配手段、周波数変換手段、伝送信号混合手段、として機能させる構成とした。
【００２０】
かかる構成によれば、チャンネル周波数間隔設定伝送プログラムは、受信信号分配手段によって、受信信号を予め設定した数に分配する。そして、このチャンネル周波数間隔設定伝送プログラムは、周波数変換手段によって、受信信号分配手段で分配された受信信号を、複数の受信信号から抽出する抽出受信信号の受信チャンネルと、この抽出した抽出受信信号の周波数を変換して伝送する伝送信号の伝送チャンネルとに関する情報であるチャンネル設定情報に含まれる受信チャンネルに従って受信信号を抽出し、この抽出した抽出受信信号を、チャンネル設定情報に含まれる伝送チャンネルに従って周波数変換して出力する。そして、このチャンネル周波数間隔設定伝送プログラムは、伝送信号混合手段によって、周波数変換手段で周波数が変換された伝送信号を混合して出力する。なお、チャンネル設定情報は、伝送信号中の任意の２信号のチャンネルの間隔であるチャンネル間隔または周波数の間隔である周波数間隔が全て異なるように、伝送信号が設定されているものである。
【００２１】
請求項３記載のチャンネル設定情報生成方法は、受信した複数の受信信号を、チャンネルまたは周波数が割り当てられている放送・通信伝送路に、複数の伝送信号として伝送する際に、前記伝送信号のチャンネルまたは周波数を設定するチャンネル設定情報を生成するチャンネル設定情報生成方法であって、チャンネル周波数計算ステップと、チャンネル周波数設定ステップと、を含む手順とした。
【００２２】
かかる手順によれば、チャンネル設定情報生成方法は、チャンネル周波数計算ステップにおいて、予め設定されているチャンネルまたは周波数の最大値と最小値との両側から、
つまり、最小値に近い小さいチャンネル番号または周波数の側と、最大値に近い大きいチャンネル番号または周波数の側との両側から、前記伝送信号のチャンネルまたは周波数の候補として、既に設定した任意の２つの伝送信号のチャンネル間隔または周波数間隔と同じ値にならいないものの中で最小値を計算する。例えば、ＵＨＦ帯の伝送信号であれば、１３ｃｈから６２ｃｈであるので、最大値６２、最小値１３の両端の値から伝送信号のチャンネルを設定する。続いて、チャンネル設定情報生成方法は、チャンネル周波数設定ステップにおいて、チャンネル周波数計算ステップにて計算した最小値に基づいて、チャンネルまたは周波数の最小値側、或いは、チャンネルまたは周波数の最大値側から、チャンネル間隔または周波数間隔の値を設定する。
【００２３】
請求項４記載のチャンネル設定情報生成方法は、請求項３に記載のチャンネル設定情報生成方法において、前記チャンネル周波数計算ステップが、予め設定されているチャンネルまたは周波数の最大値と最小値との両側から、前記伝送信号のチャンネル間隔または周波数間隔の候補として、既に設定した任意の２つの伝送信号のチャンネル間隔または周波数間隔と同じ値にならないものの中で最小値を計算する際に、前記チャンネルまたは周波数の最小値側のサブチャンネルで設定されているチャンネル間隔または周波数間隔の値と、前記チャンネルまたは周波数の最大値側のサブチャンネルで設定されているチャンネル間隔または周波数間隔の値とを、前記サブチャンネルそれぞれの中で入れ替え可能にして設定することを特徴とする。
【００２４】
かかる手順によれば、チャンネル設定情報生成方法は、予め設定されているチャンネルの最大値と最小値と両側の値（例えば、ＵＨＦ帯の場合、最小値が１３ｃｈ、最大値が６２ｃｈ）から、既に設定されたチャンネルの中で、当該チャンネルの値が大きい同士の間隔の値（最大値側のサブチャンネルで設定されているチャンネル間隔の値）と、当該チャンネルの値が小さい同士の間隔の値（最小値側のサブチャンネルで設定されているチャンネル間隔の値）とをサブチャンネルそれぞれの中で入れ替え可能にする。例えば、ＵＨＦ帯で最小値として１３ｃｈを選択し、チャンネル番号の最小値側のサブチャンネルでのチャンネル間隔として「１」、「４」が設定されている場合（チャンネル番号にすると、１３ｃｈ、１４ｃｈおよび１８ｃになる）、次にチャンネル間隔を計算する際に、既に設定している「１」、「４」の値を入れ替えることも可能にするので、チャンネル間隔の候補として「６」が選択された場合、チャンネル間隔を単純に「１」、「４」、「６」とするだけではなく、「１」、「６」、「４」や「４」、「６」、「１」や「４」、「１」、「６」や「６」、「１」、「４」や「６」、「４」、「１」とすることも可能である。
【発明の効果】
【００２５】
請求項１、２記載の発明によれば、チャンネル設定情報の受信チャンネルに関する情報に従って、分配した受信信号を抽出し、チャンネル設定情報の伝送チャンネルに関する情報に従って、抽出した受信信号の周波数を変換している。このチャンネル設定情報は、伝送信号のチャンネル間隔または周波数間隔が全て異なるようになっており、ある伝送信号自体に落ち込む歪みである３次の相互変調歪みを回避することが可能になる。このため、伝送信号の伝送特性を劣化させることなく、従来の伝送装置（伝送設備）に比べ、非線形性を補償する回路を設ける必要が無く、増幅回路の最大出力の大きなものを設置しなくて済むので、伝送装置（伝送設備）のコストを増加させることなく、伝送信号（放送・通信信号）のチャンネル選択（チャンネル配列）を行うことができる。
【００２６】
請求項３記載の発明によれば、チャンネル設定情報として、予め設定されているチャンネルの最大値と最小値との両側から、伝送信号のチャンネル間隔または周波数間隔の候補として、既に設定した任意の２つの伝送信号のチャンネル間隔または周波数間隔と同じ値とならないものの中で最小値を計算し、伝送チャンネルに関する情報を生成しているので、伝送信号自体に生じる歪みである３次の相互変調歪みを回避することが可能になり、この３次の相互変調歪みが最小に抑制できるので、伝送特性の劣化を防ぐことができる。
【００２７】
請求項４記載の発明によれば、チャンネル設定情報として、予め設定されているチャンネルの最大値と最小値との両側から、最小値側のサブチャンネルで設定されているチャンネル間隔または周波数間隔の値と、最大値側のサブチャンネルで設定されているチャンネル間隔または周波数間隔の値とを、サブチャンネルそれぞれの中で入れ替え可能にして、既に設定した任意の２つの伝送信号のチャンネル間隔または周波数間隔と同じ値とならないものの中で最小値を計算し、伝送チャンネルに関する情報を生成しているので、伝送信号自体に生じる歪みである３次の相互変調歪みを回避することが可能になり、この３次の相互変調歪みが最小に抑制できるので、伝送特性の劣化を防ぐことができる。
【発明を実施するための最良の形態】
【００２８】
次に、本発明の実施形態について、適宜、図面を参照しながら詳細に説明する。
〈チャンネル周波数間隔設定伝送装置の構成〉
図１は、チャンネル周波数間隔設定伝送装置のブロック図である。この図１に示すように、チャンネル周波数間隔設定伝送装置１は、受信した受信信号のチャンネル（チャンネル番号）の配列または周波数を変換した伝送信号として、外部の伝送路２に伝送するもので、チャンネル設定情報蓄積手段３と、受信信号分配手段５と、周波数変換手段７（７ａ、７ｂ、７ｃ、７ｄ、７ｅ、７ｆ、７ｇ、７ｈ、７ｉ）と、伝送信号混合手段９とを備えている。
【００２９】
なお、この図１は、チャンネル周波数間隔設定伝送装置の具体的な回路構成を示したものでなく、装置の動作を概念的（機能的）に示した機能構成図と言えるものである。また、伝送路２は、いわゆる空間（電波が伝搬する伝搬空間）でもよく、ネットワーク等の通信回線であってもよい。
【００３０】
チャンネル設定情報蓄積手段３は、ハードディスク等によって構成されており、予め設定されたチャンネル設定情報を蓄積しているものである。なお、このチャンネル設定情報は、図示を省略したテンキー等を備えたキーボードや、ロータリースイッチ等の操作手段により入力され、蓄積されているものである。
【００３１】
このチャンネル設定情報は、受信信号毎に予め設定されているチャンネル（チャンネル番号）により、抽出するチャンネル（受信チャンネル）を設定すると共に、抽出した抽出受信信号の周波数を変換した伝送信号の伝送チャンネル（伝送チャンネル番号）を設定したものである。
【００３２】
例えば、受信信号がＵＨＦ帯（１３ｃｈ〜６２ｃｈ）の地上波デジタル信号であり、このＵＨＦ帯の地上波デジタル信号が９波隣接伝送（連続するチャンネル番号が使用されているもので、ここでは、１３ｃｈ、１４ｃｈ、１５ｃｈ、１６ｃｈ、１７ｃｈ、１８ｃｈ、１９ｃｈ、２０ｃｈ、２１ｃｈ）されている場合、チャンネル設定情報の受信チャンネルに関する情報に従って、ＵＨＦ帯の地上波デジタル信号のチャンネル番号（１３ｃｈ〜２１ｃｈの９波）が周波数変換手段７によって抽出される（抜き出される）。そして、この抽出された（抜き出された）地上波デジタル信号の周波数が、チャンネル設定情報の伝送チャンネルに関する情報に従って、周波数変換手段７によって変換される（詳細は図２〜図４を使用して後記する）。
【００３３】
受信信号分配手段５は、伝搬されている信号（ここでは、ＵＨＦ帯の地上波デジタル信号）を受信信号として受信し、この受信信号を予め設定されている数に分配するもので、受信アンテナ５ａを備えている。
【００３４】
受信アンテナ５ａは、ＵＨＦ帯の地上波デジタル信号（地上波デジタル放送の信号）を受信することが可能な公知のアンテナであり、一般的な八木アンテナによって構成されている。
【００３５】
この受信信号分配手段５によって分配された分配信号（出力信号、受信信号と同じ）は、それぞれ周波数変換手段７（７ａ〜７ｉ）に出力（供給）される。
【００３６】
周波数変換手段７（７ａ〜７ｉ）は、チャンネル設定情報蓄積手段３に蓄積されているチャンネル設定情報に基づいて、分配信号（出力信号、受信信号と同じ）から受信チャンネル（受信チャンネル番号、１３ｃｈ〜２１ｃｈ）の受信信号それぞれを抽出し（抜き出して）、抽出した抽出受信信号の周波数を変換した伝送信号として出力するものである。
【００３７】
つまり、周波数変換手段７ａによって受信チャンネル１３ｃｈの抽出受信信号が抽出されて周波数が変換され、周波数変換手段７ｂによって受信チャンネル１４ｃｈの受信信号が抽出されて周波数が変換され、周波数変換手段７ｃによって受信チャンネル１５ｃｈの受信信号が抽出されて周波数が変換され、周波数変換手段７ｄによって受信チャンネル１６ｃｈの受信信号が抽出されて周波数が変換され、周波数変換手段７ｅによって受信チャンネル１７ｃｈの受信信号が抽出されて周波数が変換され、周波数変換手段７ｆによって受信チャンネル１８ｃｈの受信信号が抽出されて周波数が変換され、周波数変換手段７ｇによって受信チャンネル１９ｃｈの受信信号が抽出されて周波数が変換され、周波数変換手段７ｈによって受信チャンネル２０ｃｈの受信信号が抽出されて周波数が変換され、周波数変換手段７ｉによって受信チャンネル２１ｃｈの受信信号が抽出されて周波数が変換される。
【００３８】
この周波数変換手段７によって周波数が変換される伝送信号の伝送チャンネル（伝送チャンネル番号）については、周波数変換手段７ａで変換された伝送信号の伝送チャンネルは「Ｉ」（ここでは、１３ｃｈ〜６２ｃｈのＵＨＦ帯の地上波デジタル信号であるので、Ｉ＝１３）であり、周波数変換手段７ｂで変換された伝送信号の伝送チャンネルは「Ｉ＋２」であり、周波数変換手段７ｃで変換された伝送信号の伝送チャンネルは「Ｉ＋７」であり、周波数変換手段７ｄで変換された伝送信号の伝送チャンネルは「Ｉ＋１５」であり、周波数変換手段７ｅで変換された伝送信号の伝送チャンネルは「Ｉ＋２６」であり、周波数変換手段７ｆで変換された伝送信号の伝送チャンネルは「Ｉ＋３８」であり、周波数変換手段７ｇで変換された伝送信号の伝送チャンネルは「Ｉ＋４４」であり、周波数変換手段７ｈで変換された伝送信号の伝送チャンネルは「Ｉ＋４７」であり、周波数変換手段７ｉで変換された伝送信号の伝送チャンネルは「Ｉ＋４８」である。
【００３９】
つまり、この周波数変換手段７では、チャンネル設定情報の伝送チャンネルに関する情報により、「Ｉ」が指定（特定）されれば、伝送信号の伝送チャンネルが「Ｉ」、「Ｉ＋２」、「Ｉ＋７」、「Ｉ＋１５」、「Ｉ＋２６」、「Ｉ＋３８」、「Ｉ＋４４」、「Ｉ＋４７」、「Ｉ＋４８」と割り当てられる。
【００４０】
伝送信号混合手段９は、周波数変換手段７（７ａ〜７ｉ）で周波数が変換された伝送信号を混合して、外部の伝送路２に出力するものである。
【００４１】
〈チャンネル配列（チャンネル選択）の例について〉
ここで、図２〜図４を参照して、周波数変換手段７で変換される伝送信号の伝送チャンネル（伝送チャンネル番号）の配列（割当、選択）の例について説明する。
図２は、伝送信号の伝送チャンネル（伝送チャンネル番号）としてＵＨＦ帯を利用する場合のチャンネル配列の一例（チャンネル割当の第一の例）を示したものである。
【００４２】
この図２に示すように、ＵＨＦ帯の１３ｃｈ、１５ｃｈ、２０ｃｈ、２８ｃｈ、３９ｃｈ、５１ｃｈ、５７ｃｈ、６０ｃｈおよび６１ｃｈの９波（ハッチング部分）を伝送する場合、任意の２つの伝送信号の伝送チャンネル（伝送チャンネル番号、図２では、チャンネル番号）の間隔（チャンネル間隔）には、３６個（９×８／２）の組み合わせがある。
【００４３】
このチャンネル間隔の３６個の組み合わせは、「１、２、３、４、５、６、７、８、９、１０、１１、１２、１３、１５、１８、１９、２１、２２、２３、２４、２６、２９、３１、３２、３３、３６、３７、３８、４０、４１、４２、４４、４５、４６、４７、４８」であり、３６個のチャンネル間隔が全て異なる値となるように設定されている。
【００４４】
図３は、伝送信号の伝送チャンネル（伝送チャンネル番号）としてＵＨＦ帯を利用する場合のチャンネル配列の一例（チャンネル割当の第二の例）を示したものである。
【００４５】
この図３に示すように、ＵＨＦ帯の１３ｃｈ、１５ｃｈ、１８ｃｈ、２７ｃｈ、３５ｃｈ、５０ｃｈ、５４ｃｈ、６０ｃｈおよび６１ｃｈの９波（ハッチング部分）を伝送する場合、任意の２つの伝送信号の伝送チャンネル（伝送チャンネル番号、図３では、チャンネル番号）の間隔（チャンネル間隔）には、３６個（９×８／２）の組み合わせがある。
【００４６】
このチャンネル間隔の３６個の組み合わせは、「１、２、３、４、５、６、７、８、９、１０、１１、１２、１４、１５、１７、１９、２０、２２、２３、２５、２６、２７、３２、３３、３４、３５、３６、３７、３９、４１、４２、４３、４５、４６、４７、４８」であり、３６個のチャンネル間隔が全て異なる値となるように設定されている。
【００４７】
図４は、伝送信号の伝送チャンネル（伝送チャンネル番号）としてＵＨＦ帯を利用する場合のチャンネル配列の一例（チャンネル割当の第三の例）を示したものである。
【００４８】
この図４に示すように、ＵＨＦ帯の１３ｃｈ、１５ｃｈ、１８ｃｈ、３１ｃｈ、４３ｃｈ、５１ｃｈ、５２ｃｈ、５８ｃｈおよび６２ｃｈの９波（ハッチング部分）を伝送する場合、任意の２つの伝送信号の伝送チャンネル（伝送チャンネル番号、図４では、チャンネル番号）の間隔（チャンネル間隔）には、３６個（９×８／２）の組み合わせがある。
【００４９】
このチャンネル間隔の３６個の組み合わせは、「１、２、３、４、５、６、７、８、９、１０、１１、１２、１３、１５、１６、１８、１９、２０、２１、２５、２７、２８、３０、３１、３３、３４、３６、３７、３８、３９、４０、４３、４４、４５、４７、４９」であり、３６個のチャンネル間隔が全て異なる値となるように設定されている。
【００５０】
これらのように、チャンネル間隔が全て異なる値となるように、伝送信号の伝送チャンネル（伝送チャンネル番号）を設定すると、選択した伝送信号の伝送チャンネルに、相互変調歪みが与える影響を軽減することができる。
【００５１】
〈チャンネル周波数間隔設定伝送装置と従来の伝送設備との比較〉
ここで、図５を参照して、チャンネル周波数間隔設定伝送装置１と従来の伝送設備との比較について説明する。
【００５２】
まず、改めて、伝送設備について説明する。複数の伝送信号が伝送設備に設置されている増幅回路等を通過する場合に当該増幅回路の非線形性によって生じる相互変調歪みの周波数は、伝送信号の周波数の組み合わせによって生じ（決定し）、チャンネル間隔が一定の場合には、一つの伝送信号の伝送チャンネルに複数の相互変調歪みが集中することが生じる場合がある。
【００５３】
例えば、複数の伝送信号を隣接するチャンネルに配列する場合や、等間隔でチャンネルを配列する場合は、チャンネル配列の真ん中付近にある伝送チャンネルに、特に多くの３次の相互変調歪みが生じることになる。
【００５４】
この３次の相互変調歪みは、伝送信号に悪影響を及ぼし、この３次の相互変調歪みが一定量を超えると、例えば、地上波アナログテレビジョン放送の場合、伝送信号を受信する受信側のテレビに表示される画面が実用限界以下の画面になったり、地上波デジタルテレビジョン放送の場合、伝送信号を受信する受信側のテレビに表示される画面にブロックノイズが表れる等、極端に乱れたり（破綻したり）する。
【００５５】
そこで、従来の伝送設備によって、ＵＨＦ帯の１３ｃｈ、１４ｃｈ、１５ｃｈ、１６ｃｈ、１７ｃｈ、１８ｃｈ、１９ｃｈ、２０ｃｈおよび２１ｃｈの９波を隣接チャンネル伝送した場合と、チャンネル周波数間隔設定伝送装置１によって、図２に示したＵＨＦ帯の１３ｃｈ、１５ｃｈ、２０ｃｈ、２８ｃｈ、３９ｃｈ、５１ｃｈ、５７ｃｈ、６０ｃｈおよび６１ｃｈの９波の伝送信号を伝送した場合との３次の相互変調歪みの波数を図５に示す。
【００５６】
この図５に示すように、従来の伝送設備によって、９波を隣接チャンネル伝送した場合は、伝送信号の伝送チャンネルに３次の相互変調歪みが集中しており、最大で１つの伝送チャンネルに２４波の相互変調歪みが生じている。一方、本発明の一実施形態であるチャンネル周波数間隔設定伝送装置１によって、９波の伝送信号を伝送した場合では、相互変調歪みはＵＨＦ帯の全域に亘って広がっているが、伝送信号に使用する伝送チャンネルには、１波の相互変調歪みも生じていない。
【００５７】
このように、チャンネル周波数間隔設定伝送装置１では、伝送する任意に２つの伝送信号の伝送チャンネルの間隔が異なるように、チャンネル配列（チャンネル選択）を行って、当該伝送信号を伝送することによって、非線形性による悪影響を最小限にすることができる。
【００５８】
すなわち、このチャンネル周波数間隔設定伝送装置１によれば、チャンネル設定情報蓄積手段３によって、複数の受信信号から抽出する受信信号の受信チャンネルと、この抽出した受信信号の周波数を変換して伝送する伝送信号の伝送チャンネルとに関する情報であるチャンネル設定情報が蓄積されている。続いて、受信信号分配手段５によって、受信信号が予め設定した数に分配され、周波数変換手段７によって、受信信号分配手段５で分配された受信信号が、チャンネル設定情報の受信チャンネルに従って抽出され、この抽出された受信信号が、チャンネル設定情報に含まれる伝送チャンネルに従って周波数変換されて出力される。そして、伝送信号混合手段９によって、周波数変換手段７で周波数が変換された伝送信号が混合されて出力される。このため、この３次の相互変調歪みが最小に抑制できるので、伝送特性を劣化させることなく、従来の伝送装置（伝送設備）に比べ、非線形性を補償する回路を設ける必要が無く、増幅回路の最大出力の大きなものを設置しなくて済むので、伝送装置（伝送設備）のコストを増加させることなく、伝送信号のチャンネル選択（チャンネル配列）を行うことができる。
【００５９】
〈チャンネル周波数間隔設定伝送装置の動作〉
次に、図６に示すフローチャートを参照して、チャンネル周波数間隔設定伝送装置１の動作について説明する（適宜、図１参照）。予め、チャンネル周波数間隔設定伝送装置１には、チャンネル設定情報蓄積手段３にチャンネル設定情報が蓄積されている。
【００６０】
まず、チャンネル周波数間隔設定伝送装置１は、ＵＨＦ帯の地上波デジタル信号を、受信信号分配手段５の受信アンテナ５ａによって受信し、この受信信号分配手段５によって、予め設定された数（９つ）に分配する（ステップＳ１）。
【００６１】
そして、チャンネル周波数間隔設定伝送装置１は、周波数変換手段７によって、受信信号分配手段５で分配された受信信号（分配信号、出力信号）を、チャンネル設定情報蓄積手段３によって蓄積されているチャンネル設定情報に含まれる受信チャンネルに関する情報に従って抽出し（抜き出し）、この抽出した（抜き出した）受信信号を、チャンネル設定情報に含まれる伝送チャンネルに関する情報に従って周波数変換し、この周波数変換した受信信号を伝送信号として伝送信号混合手段９に出力する（ステップＳ２）。
【００６２】
その後、チャンネル周波数間隔設定伝送装置１は、伝送信号混合手段９によって、それぞれの周波数変換手段７から出力された伝送信号を混合して、外部の伝送路２に出力する（ステップＳ３）。
【００６３】
〈チャンネル設定情報を設定する仕方〉
次に、図７〜図１２を参照して、チャンネル周波数間隔設定伝送装置１に入力されるチャンネル設定情報を設定する仕方（チャンネル設定情報生成方法）について説明する。
図７〜図９は、図２および図３に示したチャンネル割当の第一の例およびチャンネル割当の第二の例のチャンネル配列を設定する仕方を説明した説明図である。
【００６４】
なお、図７において、図７（ａ）がチャンネル設定情報を設定する際の動作内容を説明したものであり、図７（ｂ）が実際にチャンネル設定情報を求めた際の動作結果を説明したものである。
【００６５】
この図７（ａ）の〈条件設定〉に示したように、一番大きいチャンネル番号：Ｃｈｍａｘ、一番小さいチャンネル番号：Ｃｈｍｉｎとし、チャンネルの大きい方と小さい方との両側（両端）からチャネル配列を設定していく。ここで、伝送する信号（伝送信号）の数はＮである。
【００６６】
そして、図７（ａ）の〈チャンネル間隔の初期設定〉で、全てのチャンネル間隔を０にする。ここで、Ｃｗ（１）は一番小さいチャンネル番号と二番目に小さいチャンネル番号とのチャンネル間隔（以下、一番目のチャンネル間隔とする）を示しており、Ｃｗ（２）は二番目に小さいチャンネル番号と三番目に小さいチャンネル番号とのチャンネル間隔（以下、二番目のチャンネル間隔とする）を示している。また、Ｃｗ（Ｎ−１）は、（Ｎ−１）番目に小さいチャンネル番号とＮ番目に小さい（一番大きい）チャンネル番号のチャンネル間隔（以下、Ｎ−１番目のチャンネル間隔とする）を示している。
【００６７】
図７（ａ）の〈チャンネル間隔の計算〉で、チャンネル（チャンネル番号）の大きい側の計算（ＨＣＡＬ）、チャンネル（チャンネル番号）の小さい側の計算（ＬＣＡＬ）を行い、ＦＬＡＧを立てる。これら〈チャンネル間隔の初期設定〉および〈チャンネル間隔の計算〉がチャンネル設定情報生成方法のチャンネル周波数計算ステップに該当する。
【００６８】
そして、チャンネル間隔の計算でのＦＬＡＧ（フラグ）によって、伝送信号の伝送チャンネルを決定していく。このＦＬＡＧの値による処理部分が、チャンネル設定情報生成方法のチャンネル周波数設定ステップに該当する。
【００６９】
なお、チャンネル間隔の計算・設定のいずれにおいても、図８（ａ）、図８（ｂ）および図９（ａ）、図９（ｂ）に示すように、チャンネル番号の大きい側（最大値側）と小さい側（最小値側）とのそれぞれについて、チャンネル設定情報の処理を行う。つまり、チャンネル番号の両端から小さな数値のチャンネル間隔を設定していくことで、伝送チャンネルの設定を行う前半では、チャンネル番号の大きい側と小さい側とのチャンネルを全く独立に設定することができる。
【００７０】
この図７（ａ）、図７（ｂ）に示した例では、５回目のチャンネル間隔の設定までは、３次の相互変調歪みの周波数がチャンネル番号の大きい側と、チャンネル番号の小さい側とで互いに関係しないので、独立したサブチャンネルの配列として、チャンネル配列（チャンネル設定情報の生成）を行うことができる。このため、伝送信号の伝送チャンネルの数が多くなった場合でも、チャンネル配列（チャンネル設定情報の生成）を比較的容易に進めることができる。
【００７１】
図１０〜図１２は、図４に示したチャンネル割当の第三の例のチャンネル配列を設定する仕方を説明した説明図である。
【００７２】
なお、図１０において、図１０（ａ）がチャンネル設定情報を設定する際の動作内容を説明したものであり、図１０（ｂ）が実際にチャンネル設定情報を求めた際の動作結果を説明したものである。
【００７３】
この図１０（ａ）、図１０（ｂ）に示したチャンネル配列の設定の仕方も、チャンネル番号の両側（両端）から、チャンネル間隔として、小さな数値を割り当てて設定して行くのが原則であるが、伝送チャンネルの設定の途中で、設定したチャンネル間隔の数値を、
チャンネル番号の小さい側（最小値側）およびチャンネル番号の大きい側（最大値側）のサブチャンネルの中で入れ替えることを可能にしている。
【００７４】
この図１０（ｂ）に示したチャンネル配列の設定の仕方では、６回目のチャンネル間隔の設定前では、チャンネル番号の大きい側のサブチャンネルでは、Ｃｗ（６）＝４、Ｃｗ（７）＝６、Ｃｗ（８）＝１となっている。６回目のチャンネル間隔の設定でＣｗ（５）＝８が選択されるが、その際に、サブチャンネル内のチャンネル間隔を入れ替えて、Ｃｗ（６）＝１、Ｃｗ（７）＝６、Ｃｗ（８）＝４とする。
【００７５】
この場合も、チャンネル間隔の計算・設定いずれにおいても、図１１（ａ）、図１１（ｂ）および図１２（ａ）、図１２（ｂ）に示すように、チャンネル番号の大きい側とチャンネル番号の小さい側とのサブチャンネルそれぞれについて、チャンネル設定情報の処理を行う。チャンネル番号の両端から、小さな数値のチャンネル間隔を設定していくことで、伝送チャンネルの設定を行う前半では、チャンネル番号の大きい側と小さい側とのサブチャンネルを、全く独立に設定することができる。
【００７６】
また、チャンネル番号の両側（両端）に形成されたサブチャンネルの配列を入れ替え可能にすることで、図７に示したチャンネル配列の設定の仕方よりも多少複雑になるものの、伝送信号の伝送チャンネルの数が多くなった場合でも、チャンネル設定が可能な組み合わせを多くすることができる。
【００７７】
以上、本発明の実施形態について説明したが、本発明は前記実施形態には限定されない。例えば、本実施形態では、９波の地上波デジタル信号を例にして、ＵＨＦ帯の１３ｃｈを最小のチャンネル（チャンネル番号）として説明してきたが、放送・通信伝送路に用いる２つの伝送信号（放送・通信信号）のチャンネル間隔または周波数間隔がいずれも等しい値とならないように（全て異なるように）、当該伝送信号のチャンネル間隔または周波数間隔を選択（設定）するのであれば、地上波デジタル信号に限定されるものではなく、地上波アナログ信号、ＣＡＴＶ等の伝送信号等に適用することが可能である。
【００７８】
例えば、図２で示した伝送信号の伝送チャンネル「Ｉ、Ｉ＋２、Ｉ＋７、Ｉ＋１５、Ｉ＋２６、Ｉ＋３８、Ｉ＋４４、Ｉ＋４７、Ｉ＋４８：Ｉ＝１３」を、「Ｉ、Ｉ＋２、Ｉ＋７、Ｉ＋１５、Ｉ＋２６、Ｉ＋３８、Ｉ＋４４、Ｉ＋４７、Ｉ＋４８：Ｉ＝１４」とすることや、「Ｉ、Ｉ−２、Ｉ−７、Ｉ−１５、Ｉ−２６、Ｉ−３８、Ｉ−４４、Ｉ−４７、Ｉ−４８：Ｉ＝６２」とすることや、「Ｉ、Ｉ−２、Ｉ−７、Ｉ−１５、Ｉ−２６、Ｉ−３８、Ｉ−４４、Ｉ−４７、Ｉ−４８：Ｉ＝６１」とすることでも、同様の効果を得ることができる。
【００７９】
さらに、このチャンネル周波数間隔設定伝送装置１の応用例として、例えば、ミリ波伝送装置や共同受信設備における利用が挙げられる。ミリ波伝送装置では、ミリ波帯に周波数変換する前のプロセスとして、ＵＨＦ帯の受信信号を、当該装置１によって、チャンネル配列を並び替えておくような使用方法が想定される。なお、ミリ波帯では、伝送信号を伝送する帯域幅は十分に確保されているが、ミリ波帯の信号を増幅する増幅回路の出力を大きくすることはコスト的に困難なことが多く、当該装置１によって設定したチャンネル配列を用いることによって、ミリ波帯の伝送信号の多チャンネル伝送が可能になり、伝送設備のコストを大きく削減することができる。
【００８０】
また、チャンネル周波数間隔設定伝送装置１の各構成の処理を汎用的または特殊なコンピュータ言語によって記述したチャンネル周波数間隔設定伝送プログラムとみなすことは可能である。この場合、チャンネル周波数間隔設定伝送装置１と同様の効果を得ることができる。
【図面の簡単な説明】
【００８１】
【図１】本発明の実施形態に係るチャンネル周波数間隔設定伝送装置のブロック図である。
【図２】チャンネル割当（チャンネル配列）の第一の例を示した図である。
【図３】チャンネル割当（チャンネル配列）の第二の例を示した図である。
【図４】チャンネル割当（チャンネル配列）の第三の例を示した図である。
【図５】チャンネル周波数間隔設定伝送装置と従来の伝送設備との比較について説明した図である。
【図６】図１に示したチャンネル周波数間隔設定伝送装置の動作を説明したフローチャートである。
【図７】（ａ）（ｂ）共に、図２および図３に示したチャンネル割当の第一の例およびチャンネル割当の第二の例のチャンネル配列を設定する仕方を説明した説明図である。
【図８】（ａ）（ｂ）共に、図２および図３に示したチャンネル割当の第一の例およびチャンネル割当の第二の例のチャンネル配列を設定する仕方（チャンネル番号の大きい側の計算、セット）を説明した説明図である。
【図９】（ａ）（ｂ）共に、図２および図３に示したチャンネル割当の第一の例およびチャンネル割当の第二の例のチャンネル配列を設定する仕方（チャンネル番号の小さい側の計算、セット）を説明した説明図である。
【図１０】（ａ）（ｂ）共に、図４に示したチャンネル割当の第三の例のチャンネル配列を設定する仕方を説明した説明図である。
【図１１】（ａ）（ｂ）共に、図４に示したチャンネル割当の第三の例のチャンネル配列を設定する仕方（チャンネル番号の大きい側の計算、セット）を説明した説明図である。
【図１２】（ａ）（ｂ）共に、図４に示したチャンネル割当の第三の例のチャンネル配列を設定する仕方（チャンネル番号の小さい側の計算、セット）を説明した説明図である。
【符号の説明】
【００８２】
１      チャンネル周波数間隔設定伝送装置
３      チャンネル設定情報蓄積手段
５      受信信号分配手段
７      周波数変換手段
９      伝送信号混合手段
【図１】
2006033742.tif 000003
【図２】
2006033742.tif 000004
【図３】
2006033742.tif 000005
【図４】
2006033742.tif 000006
【図５】
2006033742.tif 000007
【図６】
2006033742.tif 000008
【図７】
2006033742.tif 000009
【図８】
2006033742.tif 000010
【図９】
2006033742.tif 000011
【図１０】
2006033742.tif 000012
【図１１】
2006033742.tif 000013
【図１２】
2006033742.tif 000014